(57)【要約】【課題】停電時において誘導灯として機能させることができる照明装置を提供する。【解決手段】照明装置１は、可撓性を有する長尺の回路基板２１と、回路基板２１に列状に実装された複数の発光部２２と、長尺のカバー１１と、を備える。ここで、カバー１１は、透光性の軟性樹脂材料から形成され回路基板２１および複数の発光部２２を覆う透光性部１１１と、複数の発光部２２から放射される光により励起される蓄光材料を含む蓄光部１１５と、を有する。蓄光部１１５は、カバー１１における、複数の発光部２２それぞれから、基準光度以上の放射方向を臨む第１領域Ａ１以外の第２領域Ａ２に配設されている。【選択図】図２
2020136042.tif 000002
【特許請求の範囲】
【請求項１】
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備える、
照明装置。
【請求項２】
前記蓄光部は、前記カバーにおける、前記複数の発光部それぞれから、予め設定された最大光度よりも低い基準光度以上の放射方向を臨む第１領域以外の第２領域に配設されている、
請求項１に記載の照明装置。
【請求項３】
前記基準光度は、前記最大光度の１／２に相当する光度である、
請求項２に記載の照明装置。
【請求項４】
前記蓄光部は、前記カバーの長手方向に沿って前記カバーの長手方向全体に亘って配設されている、
請求項１から３のいずれか１項に記載の照明装置。
【請求項５】
前記カバーは、長尺な筒状であり、
前記蓄光部は、一端部が前記カバーの内側に露出し前記回路基板の厚さ方向に直交する方向において前記カバーの外壁に向かって延在する第１サブ蓄光部と、前記第１サブ蓄光部の他端部に連続し前記カバーの外壁に向かうほど前記回路基板の厚さ方向における幅が漸増する第２サブ蓄光部と、を有する、
請求項１から４のいずれか１項に記載の照明装置。
【請求項６】
可撓性を有する長尺の回路基板と、
前記回路基板に列状に実装された複数の発光部と、
透光性を有し且つ前記複数の発光部から放射される光により励起される蓄光材料を含む軟性材料から形成された長尺のカバーと、を備える、
照明装置。
【発明の詳細な説明】
【技術分野】
【０００１】
本発明は、照明装置に関する。
【背景技術】
【０００２】
複数の発光素子が列状に実装された長尺のフレキシブル回路基板と、透光性の軟性樹脂材料から角筒状に形成された長尺の中空チューブと、を備え、中空チューブの内側にフレキシブル回路基板が挿入されてなるフレキシブル発光体が提案されている（例えば特許文献１参照）。
【先行技術文献】
【特許文献】
【０００３】
【特許文献１】特開２００７−１５０２７１号公報
【発明の概要】
【発明が解決しようとする課題】
【０００４】
ところで、長尺且つフレキシブルな照明装置を、例えば建物内の通路に沿って敷設することにより、誘導灯として使用することが考えられている。しかしながら、特許文献１に記載されたフレキシブル発光体の場合、災害時において停電が発生した場合、複数の発光素子へ電力が供給されなくなるため、誘導灯としての機能を発揮できない虞がある。
【０００５】
本発明は、上記事由に鑑みてなされたものであり、停電時において誘導灯として機能させることができる照明装置を提供することを目的とする。
【課題を解決するための手段】
【０００６】
上記目的を達成するため、本発明に係る照明装置は、
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備える。
【発明の効果】
【０００７】
本発明によれば、カバーが、複数の発光部から放射される光により励起される蓄光材料を含有する蓄光部を有する。これにより、照明装置の点灯中において蓄光部に含まれる蓄光材料が複数の発光部から放射される光により励起される。従って、例えば照明装置の点灯中に停電が発生して複数の発光部へ電力供給が停止した後において、照明装置の点灯中に励起された蓄光材料から光が放射され、照明装置の点灯状態が継続する。故に、停電時に複数の発光部へ電力供給が停止した状況においても誘導灯としての機能を発揮することができるという利点がある。
【図面の簡単な説明】
【０００８】
【図１】本発明の実施の形態に係る照明装置を示し、（Ａ）は平面図であり、（Ｂ）は斜視図である。
【図２】実施の形態に係る照明装置の図１（Ａ）のＡ−Ａ線における断面矢視図である。
【図３】変形例に係る照明装置の一部を示す斜視図である。
【発明を実施するための形態】
【０００９】
以下に、本発明の実施の形態に係る照明装置について図面を参照しながら説明する。図１（Ａ）および（Ｂ）に示すように、照明装置１は、可撓性を有する長尺の回路基板２１と、複数の発光部２２と、発光部２２へ供給される電流を制限するための限流素子２３と、可撓性を有する長尺なカバー１１と、を備える。また、照明装置１は、発光部２２へ電流を供給するための導電線１３と、カバー１１の長手方向における両端部に装着されカバー１１内を密閉するキャップ１２と、を備える。照明装置１は、導電線１３を介して直流電源（図示せず）に接続される。
【００１０】
回路基板２１は、例えばＦＰＣ（Flexible Printed Circuits）から構成されており、導体パターン（図示せず）が形成されている。また、回路基板２１の長手方向における両端部には、導電線１３に電気的に接続される電極２１１が設けられている。
【００１１】
発光部２２は、例えばＳＭＤ（Surface Mount Device）タイプＬＥＤ（Light Emitting Diode）発光装置から構成される。発光部２２は、矩形板状であり厚さ方向における一面側に平面視円形の凹部２２ｃが形成された本体部２２ｂと、凹部２２ｃの底部に配設された発光素子２２ａと、凹部２２ｃに充填された色変換部材（図示せず）と、を有する。発光素子２２ａとしては、例えば青色または紫外の波長帯域の光を放射するＬＥＤ素子が採用される。複数の発光部２２は、回路基板２１の第１主面２１ｂ（図２参照）に等間隔に列状に実装されている。発光部２２の発光素子２２ａは、回路基板２１に形成された導体パターンを介して、互いに直列または並列に接続されている。限流素子２３は、回路基板２１に形成された導体パターンに介挿され、発光素子２２ａに流れる電流を予め設定された大きさに制限する。直流電源から導電線１３および導電パターンを通じて発光素子２２ａに電流が流れると、発光素子２２ａが点灯する。
【００１２】
カバー１１は、図１（Ｂ）および図２に示すように、透光性の軟性材料から形成され回路基板２１および複数の発光部２２を覆う透光性部１１１と、複数の発光部２２から放射される光により励起される蓄光材料を含む蓄光部１１５と、を有する。軟性材料としては、透光性を有する熱硬化性のポリウレタン樹脂、シリコーン樹脂等を採用することができる。カバー１１は、角筒状である。カバー１１は、図２に示すように、回路基板２１に実装された複数の発光部２２からの光を出射する平坦な光出射面１１ａと、光出射面１１ａに対向する平坦な背面１１ｂと、を有する。回路基板２１および複数の発光部２２は、カバー１１の内側に配置されている。回路基板２１の短手方向における両端部２１ａは、カバー１１に埋設されており、回路基板２１における第１主面２１ｂとは反対側の第２主面２１ｃは、カバー１１に密着している。また、カバー１１は、その外壁の角部に、その長手方向に沿ってテーパ面１１ｄが形成されている。カバー１１の光出射面１１ａは、回路基板２１の第１主面２１ｂに平行であり、カバー１１の、第１主面２１ｂが臨む方向側の外壁にカバー１１の長手方向に沿って形成されている。光出射面１１ａには、カバー１１の長手方向に沿って延長された溝１１ｃが設けられている。この溝１１ｃは、装飾用の溝である。テーパ面１１ｄは、回路基板２１における複数の発光部２２が実装される第１主面２１ｂに対して傾斜している。
【００１３】
蓄光部１１５は、カバー１１における、複数の発光部２２それぞれから、予め設定された最大光度よりも低い基準光度以上の放射方向を臨む第１領域Ａ１以外の第２領域Ａ２に配設されている。言い換えると、蓄光部１１５は、カバー１１における、複数の発光部２２それぞれから、前述の基準光度以上の放射方向に向かって延伸する仮想直線の全てが通る第１領域Ａ１以外の第２領域Ａ２に配設されている。第１領域Ａ１は、発光素子２２ａの中央部を頂点として、回路基板２１の厚さ方向に平行であり且つ発光素子２２ａの中央部を通る仮想軸ＪＰ１と母線ＬＭ１とのなす角度がθ１の円錐状の領域のうちカバー１１と重なる領域に相当する。また、基準光度は、例えば発光素子２２ａから放射される光の最大光度の１／２に相当する光度に設定される。この場合、θ１は、例えば６０度に設定される。また、蓄光部１１５は、図１（Ｂ）に示すように、カバー１１の長手方向に沿ってカバー１１の長手方向全体に亘って配設されている。更に、蓄光部１１５は、図２に示すように、第１サブ蓄光部１５１と、第２サブ蓄光部１５２と、を有する。第１サブ蓄光部１５１は、一端部がカバー１１の内側１１ｅに露出し、回路基板２１の厚さ方向に直交する方向、即ち、Ｘ軸方向に沿ってカバー１１の外側面１１ｆに向かって延在している。第２サブ蓄光部１５２は、第１サブ蓄光部１５１の他端部に連続し、カバー１１の外側面１１ｆに向かうほど回路基板２１の厚さ方向における幅が漸増している。
【００１４】
ここで、カバー１１の外側面１１ｆにおける蓄光部１１５が露出した部分のＺ軸方向の幅Ｈ１は、カバー１１のＺ軸方向の幅Ｈ０の半分以上の長さに設定される。例えばカバー１１のＺ軸方向の幅Ｈ０が５ｍｍ乃至５．６ｍｍの場合、カバー１１の外側面１１ｆにおける蓄光部１１５が露出した部分のＺ軸方向の幅Ｈ１は、例えば２．８乃至３ｍｍに設定される。また、蓄光部１１５のカバー１１の幅方向、即ち、Ｘ軸方向の幅Ｗ１は、カバー１１のＸ軸方向の幅Ｗ０の２０％以上の長さに設定される。例えばカバー１１のＸ軸方向の幅Ｗ０が１３ｍｍ乃至１３．３ｍｍの場合、蓄光部１１５のＸ軸方向の幅Ｗ１は、例えば２．７ｍｍ乃至３．５ｍｍに設定される。
【００１５】
また、蓄光部１１５は、透光性を有するポリウレタン樹脂、シリコーン樹脂等の軟性材料から形成された基材に蓄光材料を分散させたものから形成することができる。ここで、蓄光材料としては、例えば、硫化亜鉛、硫化カルシウム、酸化亜鉛、一般式Ｍ１−ＸＡｌ２Ｏ４−Ｘで表されるアルミン酸塩から選択される無機化合物の粒子を採用することができる。前述の一般式におけるＭはカルシウム、ストロンチウム、バリウムから選択される少なくとも１つの金属元素である。また、Ｘは、−０．３３以上０．６０以下の範囲の値であればよい。また、賦活剤として、ユウロピウムが添加され、共賦活剤として、ネオジム、サマリウム、ジスプロシウム、ホルミウム、エルビウム、ツリウム、イッテルピウム、ルテチウムから選択される少なくとも１つ以上の元素が添加されてもよい。また、蓄光材料材の平均粒子径は、特に限定されないが、例えば１μｍ以上５００μｍ以下であればよい。
【００１６】
キャップ１２は、透光性を有する樹脂材料から形成され、有底角筒状の形状を有する。キャップ１２の底壁には、導電線１３を導出するための導出孔１２ａが設けられている。キャップ１２の内側断面の寸法は、カバー１１の断面の外形寸法よりも大きく、カバー１１の長手方向における両端部を覆うように装着されている。
【００１７】
以上説明したように、本実施の形態に係る照明装置１によれば、カバー１１が、複数の発光部２２から放射される光により励起される蓄光材料を含有する蓄光部１１５を有する。これにより、照明装置１の点灯中において蓄光部１１５に含まれる蓄光材料が複数の発光部２２から放射される光により励起される。従って、例えば照明装置１の点灯中に停電が発生して複数の発光部２２へ電力供給が停止した後において、照明装置１の点灯中に励起された蓄光材料から光が放射され、照明装置１の点灯状態が継続する。故に、停電時に複数の発光部２２へ電力供給が停止した状況においても誘導灯としての機能を発揮することができるという利点がある。
【００１８】
また、本実施の形態に係る蓄光部１１５は、カバー１１における、複数の発光部２２それぞれから、前述の基準光度以上の放射方向を臨む第１領域Ａ１以外の第２領域Ａ２に配設されている。これにより、発光部２２から放射される光が蓄光部１１５に過度に吸収されることが抑制されるので、発光部２２から放射される光の利用効率を高めることができる。
【００１９】
更に、本実施の形態に係る蓄光部１１５は、カバー１１の長手方向に沿ってカバー１１の長手方向全体に亘って配設されている。これにより、例えば建物の通路に沿って敷設した場合、停電時において蓄光部１１５から放射される光により通路全体を照明することができる。
【００２０】
また、本実施の形態に係る蓄光部１１５は、前述の第１サブ蓄光部１５１と、第１サブ蓄光部１５１の他端部に連続しカバー１１の外壁に向かうほど回路基板２１の厚さ方向における幅が漸増する第２サブ蓄光部１５２と、を有する。これにより、カバー１１の外壁における第２サブ蓄光部１５２が露出する部分の面積を大きくすることができるので、蓄光部１１５からカバー１１外へ効率良く光を放射させることができる。
【００２１】
以上、本発明の実施の形態について説明したが、本発明は前述の実施の形態の構成に限定されるものではない。例えば、図３に示す照明装置２のように、発光部２２におけるカバー２０１１の長手方向、即ち、Ｙ軸方向における両側に配置された蓄光部２１１５と、透光性部２１１１と、を備えるものであってもよい。なお、図３において実施の形態と同様の構成については、図１（Ｂ）および図２と同一の符号を付している。蓄光部２１１５は、カバー２０１１における、複数の発光部２２それぞれから、最大光度よりも低い予め設定された基準光度以上の放射方向を臨む第１領域Ａ２１以外の第２領域Ａ２２に配設されている。ここで、第１領域Ａ２１は、発光素子２２ａの中央部を頂点として、回路基板２１の厚さ方向に平行であり且つ発光素子２２ａの中央部を通る仮想軸ＪＰ１と母線ＬＭ１とのなす角度がθ１の円錐状の領域のうちカバー２０１１と重なる領域に相当する。
【００２２】
実施の形態では、カバー１１の一部が蓄光部である照明装置１の例について説明したが、これに限らず、例えば、カバー全体が、長尺であり、透光性を有し且つ発光部２２から放射される光により励起される蓄光材料を含む軟性材料から形成されているものであってもよい。この場合、カバーに含まれる蓄光材料の含有率は、発光部２２から放射される光のカバー１１の透過率が予め設定された基準透過率（例えば５０％）以上となるように設定されればよい。
【００２３】
実施の形態では、カバー１１が角筒状である例について説明したが、これに限らず、円筒状、円筒をその筒軸方向に平行な面で切断して得られる湾曲した側壁を有するいわゆるドーム型形状、或いは断面形状がその他の形状である筒状のカバーを備えるものであってもよい。
【００２４】
実施の形態では、カバー１１が、第１サブ蓄光部１５１と第２サブ蓄光部１５２とからなる蓄光部１１５を有する例について説明したが、蓄光部の形状はこれに限らず、蓄光部が、例えば長尺の平板状、長尺の円柱状であってもよいし、或いは、断面形状がその他の形状であってもよい。
【００２５】
実施の形態では、発光素子２２ａがＬＥＤ素子から構成される例について説明したが、発光素子２２ａの種類はこれに限定されるものではなく、例えば有機ＥＬ素子または他の無機ＬＥ素子から構成されるものであってもよい。
【００２６】
実施の形態では、導電線１３が照明装置１の長手方向における片端部のみから導出されている例について説明したが、これに限らず、導電線が、照明装置１の長手方向における
両端部それぞれから導出している構成であってもよい。
【００２７】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００２８】
本発明の照明装置は、誘導灯の設置が必要な各種施設の照明用途として好適に使用される。
【符号の説明】
【００２９】
１，２：照明装置、１１，２０１１：カバー、１１ａ：光出射面、１１ｂ：背面、１１ｃ：溝、１１ｄ：テーパ面、１１ｅ：内側、１１ｆ：外側面、１２：キャップ、１２ａ：導出孔、１３：導電線、２１：回路基板、２１ａ：両端部、２１ｂ：第１主面、２１ｃ：第２主面、２２：発光部、２２ａ：発光素子、２２ｂ：本体部、２２ｃ：凹部、２３：限流素子、１１１，２１１１：透光性部、１１５，２１１５：蓄光部、１５１：第１サブ蓄光部、１５２：第２サブ蓄光部、２１１：電極、Ａ１，Ａ２１：第１領域、Ａ２，Ａ２２：第２領域、ＪＰ１：仮想軸、ＬＭ１：母線
【図１】
2020136042.tif 000003
【図２】
2020136042.tif 000004
【図３】
2020136042.tif 000005
【手続補正書】
【提出日】令和1年5月28日(2019.5.28)
【手続補正１】
【補正対象書類名】明細書
【補正対象項目名】０００６
【補正方法】変更
【補正の内容】
【０００６】
上記目的を達成するため、本発明に係る照明装置は、
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備え、
前記蓄光部は、前記カバーの内側に露出する部分と前記カバーの外側面に露出した部分とを有する。
【手続補正２】
【補正対象書類名】特許請求の範囲
【補正対象項目名】全文
【補正方法】変更
【補正の内容】
【特許請求の範囲】
【請求項１】
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備え、
前記蓄光部は、前記カバーの内側に露出する部分と前記カバーの外側面に露出した部分とを有する、
照明装置。
【請求項２】
前記蓄光部は、前記カバーにおける、前記複数の発光部それぞれから、予め設定された最大光度よりも低い基準光度以上の放射方向を臨む第１領域以外の第２領域に配設されている、
請求項１に記載の照明装置。
【請求項３】
前記基準光度は、前記最大光度の１／２に相当する光度である、
請求項２に記載の照明装置。
【請求項４】
前記蓄光部は、前記カバーの長手方向に沿って前記カバーの長手方向全体に亘って配設されている、
請求項１から３のいずれか１項に記載の照明装置。
【請求項５】
前記カバーは、長尺な筒状であり、
前記蓄光部は、一端部が前記カバーの内側に露出し前記回路基板の厚さ方向に直交する方向において前記カバーの外壁に向かって延在する第１サブ蓄光部と、前記第１サブ蓄光部の他端部に連続し前記カバーの外壁に向かうほど前記回路基板の厚さ方向における幅が漸増する第２サブ蓄光部と、を有する、
請求項１から４のいずれか１項に記載の照明装置。
【手続補正書】
【提出日】令和1年7月30日(2019.7.30)
【手続補正１】
【補正対象書類名】明細書
【補正対象項目名】０００６
【補正方法】変更
【補正の内容】
【０００６】
上記目的を達成するため、本発明に係る照明装置は、
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備え、
前記カバーは、長尺な筒状であり、
前記蓄光部は、前記カバーの内側に露出する部分と前記カバーの外側面に露出した部分とを有し、一端部が前記カバーの内側に露出し前記回路基板の厚さ方向に直交する方向において前記カバーの外壁に向かって延在する第１サブ蓄光部と、前記第１サブ蓄光部の他端部に連続し前記カバーの外壁に向かうほど前記回路基板の厚さ方向における幅が漸増する第２サブ蓄光部と、を有する。
【手続補正２】
【補正対象書類名】特許請求の範囲
【補正対象項目名】全文
【補正方法】変更
【補正の内容】
【特許請求の範囲】
【請求項１】
可撓性を有する長尺の回路基板と、
前記回路基板に列状に実装された複数の発光部と、
透光性の軟性材料から形成され前記回路基板および前記複数の発光部を覆う透光性部と、前記複数の発光部から放射される光により励起される蓄光材料を含む蓄光部と、を有する長尺のカバーと、を備え、
前記カバーは、長尺な筒状であり、
前記蓄光部は、前記カバーの内側に露出する部分と前記カバーの外側面に露出した部分とを有し、一端部が前記カバーの内側に露出し前記回路基板の厚さ方向に直交する方向において前記カバーの外壁に向かって延在する第１サブ蓄光部と、前記第１サブ蓄光部の他端部に連続し前記カバーの外壁に向かうほど前記回路基板の厚さ方向における幅が漸増する第２サブ蓄光部と、を有する、
照明装置。
【請求項２】
前記蓄光部は、前記カバーにおける、前記複数の発光部それぞれから、予め設定された最大光度よりも低い基準光度以上の放射方向を臨む第１領域以外の第２領域に配設されている、
請求項１に記載の照明装置。
【請求項３】
前記基準光度は、前記最大光度の１／２に相当する光度である、
請求項２に記載の照明装置。
【請求項４】
前記蓄光部は、前記カバーの長手方向に沿って前記カバーの長手方向全体に亘って配設されている、
請求項１から３のいずれか１項に記載の照明装置。